(57)【要約】【課題】倒れ・偏芯を少なく精度良く移動レンズ群を保持するためのレンズ鏡筒を提供すること。【解決手段】ズーミングによりカム筒を光軸回りに回転し、これに応答して光軸方向に移動レンズ群を移動させるレンズ保持機構について、直進ガイド溝を有する固定筒、該固定筒の外周に径嵌合し、光軸方向一端面が該固定筒と係合している、複数のカム溝を有するカム筒、該直進ガイド溝とカム溝に係合したカムフォロア、該カムフォロアを一体的に保持し、該カム筒の外周に位置する直進筒、該直進筒に取り付け固定されるレンズを保持する移動レンズ保持鏡筒及びレンズ、固定筒に取り付けられ、カム筒の一端面に係合させると共に、該直進筒の内径面と係合する保持環を有することを特徴とする。【選択図】図１
2007003581.tif 000002
【特許請求の範囲】
【請求項１】
ズーミングによりカム筒を光軸回りに回転し、これに応答して光軸方向に移動レンズ群を移動させるレンズ保持機構について、直進ガイド溝を有する固定筒、該固定筒の外周に径嵌合し光軸方向一端面が該固定筒と係合している複数のカム溝を有するカム筒、該直進ガイド溝とカム溝に係合したカムフォロア、該カムフォロアを一体的に保持し該カム筒の外周に位置する直進筒、該直進筒に取り付け固定されるレンズを保持する移動レンズ保持鏡筒及びレンズ、該固定筒に取り付けられ、該カム筒の一端面に係合させると共に該直進筒の内径面と係合する保持環により構成されていることを特徴とするレンズ鏡筒。
【請求項２】
前記カム筒の光軸方向位置はその両端面において一端を該固定筒、他端を該保持筒により挟み込み、該固定筒に対する該保持筒の位置調整により該カム筒の光軸方向ガタを調節可能に支持していることを特徴とする請求項１記載のレンズ鏡筒。
【請求項３】
前記直進筒と前記保持筒の径方向位置は、複数のボールを介して位置決めされていることを特徴とする請求項１又は２記載のレンズ鏡筒。
【発明の詳細な説明】
【技術分野】
【０００１】
本発明は、カメラ等に用いられるレンズ鏡筒のレンズ群の移動方法に関するものである。
【背景技術】
【０００２】
近年のレンズ鏡筒、特にズームレンズのような、構成するレンズ群を大きく光軸方向に移動させて焦点距離等を変化させる動作を実現する鏡筒の保持機構として、
（１）固定筒、該固定筒に設けた光軸に平行な直進ガイド溝、該固定筒の外径又は内径と嵌合し光軸回りに回転可能に支持されたカム筒、該カム筒に設けたカム溝、該直進ガイド溝とカム溝に係合するカムフォロア、該カムフォロアを支持する直進筒、該直進筒に固定されるレンズ鏡筒で構成されている。即ち、カム筒を光軸回りに回転させることでカム溝の形状に沿ってレンズ鏡筒が光軸方向に進退する動作をしている（例えば、特許文献１参照）。
（２）直進ガイド溝を有する固定筒の外径側にレンズ鏡筒を保持した直進筒を配置し、該固定筒の内径に複数のカム溝を有するカム筒を配置し、該カム筒を光軸回りに回転させることで該カム筒を光軸方向に繰出す機構を有し、該カム筒を回転繰り出しさせると共に該カム筒の一部を光軸方向に直進移動する該直進筒の内径と嵌合させる構造が提案されている（例えば、特許文献２参照）。
【特許文献１】特開平０７−２９４７９３号公報
【特許文献２】特開平０４−１８４４０２号公報
【発明の開示】
【発明が解決しようとする課題】
【０００３】
しかしながら、上記従来例においては、
（１）該レンズ鏡筒の移動量が大きくなると該カム筒及び固定筒が光軸方向に大型化すると同時に、該直進筒の長さ又は該カムフォロアとレンズ鏡筒との距離も大きくなることは必須であり、そのためカムフォロアとカム溝及び直進溝とのガタによるレンズ鏡筒での倒れ・偏芯がより拡大されるため、光学性能が劣化する原因となる。
（２）カム筒の一部が該直進筒を支持することで該直進筒に取り付けられるレンズ鏡筒の倒れ・偏芯は軽減されるが、カム筒を繰出すための機構や繰出すための空間が必要となり構造が複雑になる。又、他の移動レンズ群の基準は固定筒であり、該固定筒に係合しているカム筒との嵌合は部品誤差の影響を受け易い等の欠点があった。
【０００４】
そこで、本発明の目的は、倒れ・偏芯を少なく精度良く移動レンズ群を保持するためのレンズ鏡筒を提供することにある。
【課題を解決するための手段】
【０００５】
上記目的を達成するため、請求項１記載の発明は、ズーミングによりカム筒を光軸回りに回転し、これに応答して光軸方向に移動レンズ群を移動させるレンズ保持機構について、直進ガイド溝を有する固定筒、該固定筒の外周に径嵌合し光軸方向一端面が該固定筒と係合している複数のカム溝を有するカム筒、該直進ガイド溝とカム溝に係合したカムフォロア、該カムフォロアを一体的に保持し該カム筒の外周に位置する直進筒、該直進筒に取り付け固定されるレンズを保持する移動レンズ保持鏡筒及びレンズ、該固定筒に取り付けられ、該カム筒の一端面に係合させると共に該直進筒の内径面と係合する保持環によりレンズ鏡筒を構成したことを特徴とする。
【０００６】
請求項２記載の発明は、請求項１記載の発明は、前記カム筒の光軸方向位置はその両端面において一端を該固定筒、他端を該保持筒により挟み込み、該固定筒に対する該保持筒の位置調整により該カム筒の光軸方向ガタを調節可能に支持していることを特徴とする。
【０００７】
請求項３記載の発明は、請求項１又は２記載の発明において、前記直進筒と前記保持筒の径方向位置は、複数のボールを介して位置決めされていることを特徴とする。
【発明の効果】
【０００８】
本発明によれば、以下のような効果が得られる。
（１）固定筒に対する保持環の取付け・ねじ込みの調節により、該カム筒の光軸方向ガタをほぼ０にできる。
（２）固定筒に直接固定される保持環により該直進筒が径嵌合できるため、カム筒を介する径嵌合よりも取付精度が高い。
（３）直進筒の保持として、光軸方向に位置の離れた保持環とカムフォロアとで支持されるため、それだけ嵌合長が長くなったことと同義であり、固定筒に対する直進筒の倒れ・偏芯を抑えることができる。
【０００９】
以上の特徴により、従来よりも移動レンズ群の保持を精度良く安定させると共に倒れ・偏芯の量を小さく抑えることが可能となった。
【発明を実施するための最良の形態】
【００１０】
以下に本発明の実施の形態を添付図面に基づいて詳細に説明する。
【００１１】
＜実施の形態１＞
図１は本発明の実施の形態１を示し、一眼レフカメラに取り付ける交換レンズ鏡筒のＷＩＤＥ状態の光軸を含む平面で切断した断面図、図２は本発明の実施の形態１を示すＴＥＬＥ状態の光軸を含む平面で切断した断面図である。本発明の要旨より関係のない部品は不図示としている。
【００１２】
図において、１は固定筒であり、不図示のカメラ等に対し固定されている。該固定筒１には周方向等分に光軸方向に延在する複数の直進ガイド溝１ａを有する。固定筒１の外周面１ｂにはカム筒２の内径面２ｂが径嵌合する。カム筒２には周方向等分に複数のカム溝２ａを有している。カム筒２の一端面２ｃは該固定筒のフランジ面１ｃと摺動する。
【００１３】
３は保持環であり、３ａ部で固定筒１ｄに径嵌合すると共に、メスネジ３ｂ部で固定筒１ｄのオスネジ１ｅ部に螺子結合される。その際、保持環３の３ｃ面はカム筒２の端面２ｄに当接するまで保持環３を固定筒１に対しねじ込み、接着又は不図示のビス等により固定筒に固着される。即ち、カム筒２の光軸方向の位置は、その端面２ｃ及び２ｄに対し１ｃ及び３ｃにより適度な隙間をもって挟み込まれ、固定筒１に対し光軸中心に回転可能にのみ支持される。保持環３のねじ込み量を調節することにより、カム筒２の光軸方向のガタを調節可能にしているため、部品寸法のばらつきが発生しても個別に対応が可能である。
【００１４】
４はカムフォロアであり、直進ガイド溝１ａとカム溝２ａに同時に係合し、カム筒２が固定筒１に対し光軸中心に回転すると、カムフォロア４はカム溝２ａの形状により、光軸方向に移動可能に支持されている。５は直進筒であり、カムフォロア固定ビス６により、カムフォロア４と一体的に固定され、カム筒２の回転により光軸方向に移動する。５ａ面はカム筒２の外径面に径嵌合されているか、前述の複数のカムフォロアにより一意に位置が決定される場合は適度な径ガタを持たせておく必要がある。
【００１５】
又、直進筒５内径の５ｂ面は、保持環３の外周３ｄ面と径嵌合している。７は移動レンズ群８を保持しているレンズ保持鏡筒であり、７ａ面で直進筒５の５ｃ面にビス等により固定される。
【００１６】
以上の構成により、ＷＩＤＥ状態（図１）からＴＥＬＥ状態（図２）まで、カム筒２の光軸回りの回転により該移動レンズ群を光軸方向に直進移動させることが本実施の形態の目的である。固定筒に対する移動レンズ群の倒れ・偏芯を少なくするため、本実施の形態の特徴として、
（１）固定筒に対する保持環の取付け・ねじ込みの調節により、該カム筒の光軸方向ガタをほぼ０にできる。
（２）固定筒に直接固定される保持環により直進筒が径嵌合できるため、カム筒を介する径嵌合よりも取付け精度が高い。
（３）直進筒の保持として、光軸方向に位置の離れた保持環とカムフォロア又は５ａ面とで支持されるため、それだけ嵌合長が長くなったことと同義であり、固定筒に対する直進筒の倒れ・偏芯を抑えることができる。
があり、従来よりも移動レンズ群の保持を精度良く安定させると共に、倒れ・偏芯の量を少なく抑えることが可能となった。
【００１７】
＜実施の形態２＞
図３は本発明の実施の形態２を示す一眼レフカメラに取り付ける交換レンズ鏡筒のＷＩＤＥ状態の光軸を含む平面で切断した断面図、図４は本発明の実施の形態２を示すＴＥＬＥ状態の光軸を含む平面で切断した断面図である。本発明の要旨より関係のない部品は不図示としている。
【００１８】
本実施の形態では、直進筒の移動抵抗を少なくするための提案であり、実施の形態１との差は殆どない。９はボールであり、保持環と直進筒内径との径嵌合に代わり、複数のボールで支持したことが特徴であり、面摺動ではなく転がり摺動としたことにより、直進筒の移動抵抗を小さくして、小さな力でカム筒を回転させることが可能である。即ち、ズーミング時の作動トルクを軽くすることが可能になる。
【００１９】
以上、本発明の好ましい実施の形態について説明したが、本発明はこれらの実施の形態に限定されないことは言うまでもなく、その要旨の範囲内で種々の変形及び変更が可能である。
【図面の簡単な説明】
【００２０】
【図１】本発明の実施の形態１を示す一眼レフカメラに取り付ける交換レンズ鏡筒のＷＩＤＥ状態の光軸を含む平面で切断した断面図である。
【図２】本発明の実施の形態１を示す一眼レフカメラに取り付ける交換レンズ鏡筒のＴＥＬＥ状態の光軸を含む平面で切断した断面図である。
【図３】本発明の実施の形態２を示す一眼レフカメラに取り付ける交換レンズ鏡筒のＷＩＤＥ状態の光軸を含む平面で切断した断面図である。
【図４】本発明の実施の形態２を示す一眼レフカメラに取り付ける交換レンズ鏡筒のＴＥＬＥ状態の光軸を含む平面で切断した断面図である。
【符号の説明】
【００２１】
１    固定筒
２    カム筒
３    保持筒
４    カムフォロア
５    直進筒
６    カムフォロア固定ビス
７    レンズ保持鏡筒
８    移動レンズ群
９    ボール
【図１】
2007003581.tif 000003
【図２】
2007003581.tif 000004
【図３】
2007003581.tif 000005
【図４】
2007003581.tif 000006